(57)【要約】【課題】  本発明の課題は、埋蔵金の位置の誤差を極限まで縮小するなあたって、出来る限り時間と労力を省き、その結果として初期の投下資本を少なくして、事業を可能ならしめる事である。【解決手段】  埋蔵金の位置を確定するにあたって、金属探知器と地中レーダーとを組み合わせて用いる事により、探査の作業を容易にする方法をとる。現在の地中レーダーはかなり重いので、地面を相当固くしなければ成らず、準備のための時間と労力が掛る。それに対して、金属探知器は軽便で操作がし易く広い範囲を探査する事が出来る。但し、金属探知機は、金属の有無の確認のみで、金属の大きさや深さを知る事が出来ない。これに対して、地中レーダーは形状や深さまでも知る事が出来る。両者の長所を組み合わせた方法で投下資本を少なくする。  又、地耐力から計算して、埋蔵金位置の地上からの深さ、その面積や厚さを知る。それによって、発掘の段取りを軽便なものにして投下資本を少なくする。【選択図】図２
2012128379.tif 000002
【特許請求の範囲】
【請求項１】
日本特許出願番号平１１−２４９０８８に示されている狩野埋蔵金の位置の誤差を、金属探知器で広い範囲を走査して金銀の有無を確認して、その確認された狭い範囲の地盤を転圧して固め、地中レーダーの操作をし易くする。この様にして二種の機器を使い分ける事によって効率よく位置の誤差を縮小する方法。
【請求項２】
狩野埋蔵金を埋蔵した井戸の形状を、現地の地層からその地耐力を推定し、地耐力から逆算して、地表が陥没しない埋蔵金の単位面積当たりの可能な荷重を計算し、その上に乗る地層の荷重を計算して、埋蔵の深さを計算する。又、この埋蔵金の可能な荷重から計算して、一か所の埋蔵金の埋蔵された形の厚さと水平面積とを求める。この様にして、狩野埋蔵金の水平面積と深さとを求める方法。
【請求項３】
現地の地層からその地耐力を直接に測定して、その数値を代入して、狩野埋蔵金の水平面積と深さとを求めることを特徴とする特許請求の範囲第２項記載の方法。
【請求項４】
金属探知器と地中レーダーの代わりに、他の探知器を利用することを特徴とする特許請求の範囲第１項記載の方法。
【発明の詳細な説明】
【技術分野】
【０００１】    本発明は、狩野埋蔵金の形態で存在する金、銀、銅の採取に関する技術である。
【背景技術】
【０００２】    背景技術は、本発明の発明者が発明した日本特許出願番号平１１−２４９０８８に示すものである。今回の発明はその改良に関するものである。
日本特許出願番号平１１−２４９０８８に示すものは、狩野埋蔵金の暗号図書、即ち、埋蔵の現地指揮官の宿舎であった双永寺の床下から発見された３枚の銅板に記された、地図、方位図、暗号文書を解読して、地図の方位と縮尺とを求めて得た解読地図の場所を、自然科学の成果である明治４０年測量の大日本帝国陸地測量部発行の地図上で探すと言う方法であった。この方法は、埋蔵した当時の現地の地形に詳しい者が死去して居なくなった現在に於いては、道路形態や地形が変わった為に一度途切れて失われた情報を、自然科学の成果である地形図で復元する方法であった。そして、明治４０年測量の地図上に復元された位置を現在の地形を表す地図と重ねる事で現在の地図上での位置を知る方法であった。これは、暗号図書の解読だけでは現在では探す事の出来ない埋蔵の場所を、地形図で復元する所に自然科学的な新規性があった。
しかし、この方法をもってしても、位置の誤差はかなり生じる。従って、発掘に費用が掛る事になる。又、埋蔵金は古井戸に埋められていると解読していた。
【発明の開示】
【発明が解決しようとする課題】
【０００３】    本発明が解決しようとする第一の課題は、前記日本特許出願番号平１１−２４９０８８によって探査された埋蔵金の位置の誤差の縮小である。位置の誤差が縮小する事によって発掘に要する時間と経費を節減できる。又、安全に発掘する為の方法になる。従って、より効率的に発掘する為の方法を確立する事である。
又、第二の課題は、「上州赤城におよそ３６０万両、古井戸を掘ることを手掛かりとすべし」との水野智義氏に義父が言った遺言のより正確な意味を解読し、それ等を利用して発掘の経済効率を上げる事である。
【課題を解決するための手段】
【０００４】    本発明が上記の第一の課題を解決する為の手段は、金属探知器と地中レーダーとを使い分ける事によって、安全に効率よく探知する。即ち、まず、金属探知器で可能性のある広い範囲を調べて、金属があると分かった狭い範囲の所を地中レーダーで調べる。
それは、地中レーダーの装置は重いので、地面を相当に堅く転圧しなければ装置の車輪が地面にめり込んで操作し難いからである。それに対して金属探知器は軽便で操作が容易である。しかし、金属探知器は単に金属の有無が分かるだけで、その大きさや深さを知る事は出来ない。それに対して、地中レーダーでは深さや大きさも知る事が出来るので、その後の掘削の計画が立て易い。又、第二の課題を解決する為の手段は、埋蔵金は黄金であることから、その大きな比重からくる地耐力との関連で、埋蔵の広さや深さを推理する。
【発明の効果】
【０００５】    本発明を利用する事により、従来の方法に比べて掘削と搬出の費用は約１６５分の１になり時間と経費が節約できる。又、最大１，１７０倍の利益をあげる事が出来る。更に、環境に優しい仕事をする事が出来る。
従って、この方法を応用する事により、他の埋蔵金の発掘も著しく効果をあげる事が可能になり、埋蔵金の発掘は産業としても成立する様になる。
【発明を実施するため最良の形態】
【０００６】    埋蔵金の有る古井戸が所謂通常の井戸と形態の異なる埋蔵専用に作った「井戸の様な」竪穴と考えられる。そうすると、通常の古井戸の様なかなり深い竪穴の痕を捜しても見つからない事がある。水野智義氏に義父が言った遺言の「・・・古井戸を掘ることを手掛かりとすべし」の「手がかり」のより正確な意味は、「通常の古井戸を掘る」こと自体では無く、「土の埋められた古井戸を掘る様な方法で、通常の井戸と形態の異なる埋蔵専用の古井戸を掘れ」との意味に解する事が出来る。
通常の古井戸に埋蔵した場合は、竪穴の直径は１ｍ程度で深さは１０ｍ程度と考えられ、その底部に埋蔵金が有る事になる。しかし、地耐力から計算される竪穴の直径や深さは別のものを示す。もし、深さが三メートル程度なら一般にレンタルされている地中レーダーや金属探知器でも探査出来るので、これによって、掘削の手順は大きく変わってくる。
【実施例】
【０００７】    本発明の実施例は、狩野埋蔵金の位置を誤差５０センチメートル以下で決定できるものである。従来の技術によって七か所の平均誤差±１４．４６メートル程度まで狭められた埋蔵金の水平位置であるが、もし、其のまま掘れば、掘削面積は６５７平方メートル程度である。もし、深さの推理計算をしないで、古井戸と言う事で、深さを１０メートルとすれば、掘削体積は６，５７０立方メートルとなる。掘削と搬出で１立方メートル当たり１万円かかるとすると、合計で６，５７０万円になる。七か所の合計では４億５，９９０万円になる。これは掘削と搬出だけの費用である。
これに対して、金属探知機と地中レーダーとの組み合わせで誤差を０．５メートルにした場合は、掘削面積は最小で０．７８５４平方メートル程度である。もし、深さを同じ１０メートルとすれば、掘削体積は７．８５４立方メートルとなる。この場合は直径１メートルの井戸状の掘削となるので、掘削費用は人力で２０万円になる。搬出が１０万円とすると合計で３０万円になる。七か所の合計では２１０万円になる。これも掘削と搬出だけの費用である。しかし、これだけで掘削面積は６５７平方メートルの場合に比べて２１９分の１の経費になる。又、地中レーダーで深さが分かった場合は、もっと浅い場合は、更に安くなる。
ここで、狩野埋蔵金の埋蔵場所の深さの推理をしてみよう。深さの推理は、地盤の地耐力から推理する事が出来る。このあたりの地盤は、上から３０センチメートル程度までが畑の土であり、その下５０センチメートル程度が軽石層である。この軽石層は１，４００年程前の妙義山の噴火に因るものである。
この辺りは火山に近いので、遠くまで飛ぶ火山灰によるローム層では無く、小さな火山礫からガスの抜けた軽石になる。そして、軽石層の下は山の森林が倒れて次第に堆積して出来た腐食土の黒土層である。黒土層の厚さは通常２メートル程度であるから、地表から２．８メートルが黒土層の下部であり、その下は利根川の近くである事から粘土層と推測される。
この様に考えた場合、地耐力は、柔らかい粘土層で１０トン／ｍ２、固い粘土層で２０トン／ｍ２であるから、この場合は１０トン／ｍ２となる。地耐力が１０トン／ｍ２の場合、許容荷重を８トン／ｍ２とする。もし、これ以上の荷重をかけた場合は、埋め戻した後に地盤が沈下する恐れがあり、地表の部分の土が陥没して、埋蔵の位置が地上から分かってしまう事になる。
又、埋蔵金は土中に直に埋めたのでは、周辺部の埋蔵金は土に埋まってしまい、取り出すときに不都合である。従って、何らかの容器に入れてあると考えられる。
この場合の埋蔵金は、江戸幕府の智者が時代の変化を早々に察知して、将来は官軍に負ける事を予想し、最終的には江戸幕府は蝦夷幕府に成って生き延びる事に夢を託した軍資金、かつ、蝦夷幕府建設の資本金である。そして、狩野の地で一戦交えて、不利な場合は新潟方面に退却し、船で蝦夷地の五稜郭に進駐する予定であった。
従って、長期の埋蔵は考えていなかったと考えられるから、容器の腐食はさほど問題に成らない。速やかに埋蔵する為、かつ、制作が容易で一番使い易いのは軽量な木製の桶であろう。
桶は黒土層では無く粘土層の中に埋めると地耐力だけでなく埋蔵にも都合が良い。又、桶に木製の蓋をしてその上に粘土を２０センチメートル程被せると安定し、又、発見され難い。そうすると、埋蔵金の上部の深さは丁度３メートルになる。この場合、上部の土の荷重は、平均の土の比重を１．８トン／ｍ３とすると、深さ３ｍでは、５．４トン／ｍ２である。桶の底部の荷重を８トン／ｍ２以下で７．９トン／ｍ２とすると、埋蔵金の荷重は２．５トン／ｍ２になる。
ここで、江戸時代の小判の平均的な重さを考えてみよう。次表は小判の重さと金の含有量と使用年数等をまとめたものである。小判は金と銀で出来ていると仮定する。
2012128379.tif 000003
金、銀の各重量にその使用年数を掛けて合計し、使用年数の合計で割ると、江戸時代を通しての平均の仮想小判の金、銀の重量が出ると仮定すると、平均の仮想一両に含まれる金の重量は１１．５５６８ｇ、銀の重量は３．８１８４ｇである。そして、仮想一両の重量は１５．３７５２ｇである。仮想一両の体積は０．９６２４５５ｃｍ３である。従って、３６０万両の重量は約５５．３５トンである。埋蔵金は七か所に有るから、一か所の重量はその７分の１で約７．９０７３トンである。これを許容荷重の２．５トン／ｍ２で割ると、桶の内側の底面積は約３．１６３ｍ２になる。これは直径約２．００７ｍの円の面積である。従って、桶の平均直径は約２ｍとする。
１両の体積は０．９６２４５５ｃｍ３であるから、３６０万両の体積は３．４６４８３８ｍ３である。従って、一か所の体積は約０．４９４９７７ｍ３である．小判の場合すき間があるので二倍の体積に成ると仮定すると０．９８９９５４ｍ３になる。従って、これを約１ｍ３とする。桶の内側を満たす埋蔵金の深さをｈｍとすると、ｈ＝０．３１８３ｍである。桶は上下に約１０ｃｍの余裕が有るとすると、桶全体の高さＨは、約Ｈ＝０．５ｍになる。この桶は大きなタライの様な形になる。従って、地中レーダーは３．５ｍの深度まで測定できるものがあれば良い。金属探知器も同様である。
先の直径１メートルの井戸状の掘削の場合、３ｍの掘削費用は深さ１０ｍの場合の三割になり人力で６万円になる。搬出が４万円とすると合計で１０万円になる。七か所の合計では７０万円になる。これも掘削と搬出だけの費用である。しかし、これだけで、全体を深さ１０ｍで掘った場合の６５７分の１の経費になる。但し、これは埋蔵金に達するまでの掘削体積である。埋蔵金を取り出すには、桶の直径が２ｍであるから、掘削面積は４倍になり、掘削体積も４倍になる。従って、費用も７０万円の４倍で２８０万円になる。これは４億５，９９０万円の１６４．２５分の１である。しかし、実際には最初の一つを掘削して搬出する費用はその７分の１であるから４０万円である。そして、４億５，９９０万円の７分の１は６，５７０万円である。従って、これで比較すれば、同じく１６４．２５分の１であるが、４０万円は絶対値が小さいので、最初の資本金が少なくて済む。二番目からは、埋蔵金で得た資金で掘れば良いので多少経費が掛かっても大した負担には成らない。掘削と搬出で４０万円、それ以外では、金属探知器と地中レーダーのレンタル代金と運搬費、及び、土地整備の人件費等で６０万円、合計で１００万円になる。収入は、この一か所で報労金は２３４億円の１０％を地主と折半した１１億７千万円である。利益率は、現場経費１００万円との比率では１，１７０倍の利益である。
しかし、発掘までの５０年間の修行と解読の経費は６，０００万円ほど掛かっているので、この利息を考えて二倍とすると１億２，０００万円になり、７か所の埋蔵金の全てが発掘された場合の利益８１億９，０００万円との比較では、６８．２５倍にしかならない。
もし、全部が収入になれば、狩野埋蔵金は地金換算で約１，６３８億円であるから、利益率は１，３６５倍になる。狩野埋蔵金の発掘を国や大企業が長期にわたって続けないのは、利益率が少なかったからである。狩野埋蔵金が存在しないからではない。歴史的には、明治、大正の期間を通じて、明治新政府軍や企業、個人の約２，０００の発掘プロジェクトが実行されている。しかし、全て途中で諦めている。資金が続かないからである。その結果、現在では、ほとんど全ての人が初めから諦めている。既に述べた様に、多人数長期のプロジェクトは赤字に成ったのである。従って、水野家は１２０年間個人で行い、発明者も５０年間一人で行ったのである。これなら何とか１０倍以上の利益がある。
しかし、この発明によって、今後に他の埋蔵金の発掘をする人達は、ずっと短期間に高い利益率を上げる事が出来る様に成るだろう。論理的で科学的な正しく正確な推理によって、殆どの事は分かるからである。従って、今後は国や自治体、大企業も埋蔵金の発掘に参加する可能性がある。
【図面の簡単な説明】
【０００８】
【図１】  日本特許出願番号平１１−２４９０８８に示される埋蔵金の元の位置図
【図２】  日本特許出願番号平１１−２４９０８８に示される埋蔵金の元の位置図に示す元の埋蔵位置を中心とした半径１４．４６ｍの範囲図
【図３】  埋蔵金の元の位置図に示す埋蔵位置を中心とした半径１４．４６ｍの範囲図の中で金属探知器により探知された真の埋蔵金の位置を中心とした３ｍ四方の範囲図
【図４】  真の埋蔵金の位置を中心とした３ｍ四方の範囲の地中を含めた断面図
【符号の説明】
【０００９】▲１▼−−−−−−−  日本特許出願番号平１１−２４９０８８に示される埋蔵金の元の位置図に示す「庚」の埋蔵地点
▲２▼−−−−−−−  日本特許出願番号平１１−２４９０８８に示される埋蔵金の元の位置図に示す「已」の埋蔵地点
▲３▼−−−−−−−  日本特許出願番号平１１−２４９０８８に示される埋蔵金の元の位置図に示す「戌」の埋蔵地点
▲４▼−−−−−−−  日本特許出願番号平１１−２４９０８８に示される埋蔵金の元の位置図に示す「辛」の埋蔵地点
▲５▼−−−−−−−  日本特許出願番号平１１−２４９０８８に示される埋蔵金の元の位置図に示す「丙」の埋蔵地点
▲６▼−−−−−−−  日本特許出願番号平１１−２４９０８８に示される埋蔵金の元の位置図に示す「乙」の埋蔵地点
▲７▼−−−−−−−  日本特許出願番号平１１−２４９０８８に示される埋蔵金の元の位置図に示す「甲」の埋蔵地点
Ａ  −−−−−−−  日本特許出願番号平１１−２４９０８８に示される埋蔵金の元の位置図に示す埋蔵金の元の位置の中心から半径１４．４６ｍの範囲
ａ  −−−−−−−  埋蔵金の元の埋蔵位置
Ｂ  −−−−−−−  地中レーダーで探査する範囲
ｂ  −−−−−−−  金属探知器に反応した金属の位置
Ｃ  −−−−−−−  地中レーダーを走行させる範囲の境界線
Ｄ  −−−−−−−  畑の土の層
Ｅ  −−−−−−−  軽石の層
Ｆ  −−−−−−−  黒土の層
Ｇ  −−−−−−−  軟らかい粘士層
Ｈ  −−−−−−−  埋蔵金
Ｉ  −−−−−−−  桶の木製の蓋
Ｊ  −−−−−−−  桶の側面の板
Ｋ  −−−−−−−  掘削線
Ｌ  −−−−−−−  地表
【図１】
2012128379.tif 000004
【図２】
2012128379.tif 000005
【図３】
2012128379.tif 000006
【図４】
2012128379.tif 000007